(57)【特許請求の範囲】
【請求項１】
給湯バーナにより加熱されて管内を流れる水を加熱する給湯熱交換器が設置された給湯管と、
前記給湯管に設置され、所定以上の水が流れたときにオンになる流水スイッチと、
湯張りスイッチのオンまたは前記流水スイッチのオンにより通電され、前記給湯管内に所定以上の水が流れたときに当該給湯管内の流水量を検出するとともに前記給湯バーナを点火させるフローセンサとを有することを特徴とする風呂釜。
【請求項２】
給湯バーナにより加熱されて管内を流れる水を加熱する給湯熱交換器が設置された給湯管と、
前記給湯管の下流側においてこの給湯管から分岐して延びる第１の分岐管および第２の分岐管と、
前記第１の分岐管に設置され、湯張りスイッチがオンになったときに開位置とされてこの第１の分岐管の管路を所定時間にわたって開放して浴槽に湯張りを行う電磁弁と、
前記第２の分岐管に設置され、手動操作によりこの第２の分岐管の管路を開放して出湯を行う出湯栓と、
前記第２の分岐管に設置され、前記出湯栓により前記第２の分岐管の管路が開放されてこの第２の分岐管内に所定以上の水が流れたときにオンになる流水スイッチと、
前記給湯管に設置され、前記湯張りスイッチのオンまたは前記流水スイッチのオンにより通電され、前記給湯管内に所定以上の水が流れたときに当該給湯管内の流水量を検出するとともに前記給湯バーナを点火させるフローセンサとを有することを特徴とする風呂釜。
【請求項３】
前記電磁弁が開位置となっている場合において前記流水スイッチがオンになったときには、前記電磁弁はその時間だけ一時的に閉位置となることを特徴とする請求項２記載の風呂釜。
【請求項４】
前記フローセンサは電池により駆動されることを特徴とする請求項１、２または３記載の風呂釜。
【請求項５】
前記第２の分岐管にはこの第２の分岐管から分岐して延びる他の分岐管が備えられ、前記流水スイッチは前記第２の分岐管と前記他の分岐管との分岐位置よりも上流側における前記第２の分岐管に設置されていることを特徴とする請求項２、３または４記載の風呂釜。
【請求項６】
前記他の分岐管は、シャワーおよび台所配管の少なくとも何れか一つであることを特徴とする請求項５記載の風呂釜。
【請求項７】
前記第１の分岐管および前記第２の分岐管の下流側には、これらの分岐管が合流して延びる出湯管を有することを特徴とする請求項２〜６の何れか一項に記載の風呂釜。
【請求項８】
前記浴槽内の水が循環する風呂配管と、
風呂バーナにより加熱されて前記風呂配管内を流れる水を加熱する風呂熱交換器とが併設されていることを特徴とする請求項１〜７の何れか一項に記載の風呂釜。
【請求項９】
前記風呂釜は、前記給湯バーナおよび前記風呂バーナの燃焼に必要な空気の取り入れと燃焼後の排気とが自然通風によるドラフタ現象を利用して行われるバランス型風呂釜であることを特徴とする請求項１〜８の何れか一項に記載の風呂釜。
【発明の詳細な説明】
【０００１】
【発明の属する技術分野】
本発明は風呂釜に関し、特に自動湯張り機能と給湯機能とを有する風呂釜における低消費電力化に適用して有効な技術に関する。
【０００２】
【従来の技術】
風呂釜には、湯張りスイッチを押すと自動的に設定量のお湯が浴槽に湯張りされる湯張りされる自動湯張り機能と、出湯栓を手動操作することにより所望量のお湯が給湯される給湯機能とを有するものがある。
【０００３】
このような風呂釜には、給湯管にフローセンサを取り付け、このフローセンサにより湯張りの際の水量制御および給湯バーナの点火を行うとともに給湯の際の給湯バーナの点火を行っているものがある。
【０００４】
フローセンサは、所定の磁束密度を作る磁石の磁界中にホール素子またはＭＲセンサを設置して通電しておき、磁石の位置が変化することに伴う磁束密度の変化をパルス信号として出力する構造になっている。したがって、水量検知を行うためには、給湯管内に水が流れているかいないかに拘わらず、フローセンサを常時通電状態にしておく必要がある。
【０００５】
【発明が解決しようとする課題】
しかしながら、このように常時フローセンサに通電をしておくようにすると、待機電力がかかり経済的でない。
【０００６】
ここで、たとえばバランス型風呂釜のように風呂釜が浴槽に隣接して設置されている風呂釜においては、安全上の観点から商業電源を利用することが好ましくないので、フローセンサの電源を電池に依存しているものがある。そして、電池によりフローセンサを常時通電にしておくと、電池寿命が極めて短くなって頻繁に電池交換をしなければならなくなり、通常の使用に耐え得ない。
【０００７】
そこで、本発明は、水量を検出する必要が生じたときだけ通電状態にすることのできるフローセンサを備えた風呂釜を提供することを目的とする。
【０００８】
【課題を解決するための手段】
上記課題を解決するため、本発明に係る風呂釜は、給湯バーナにより加熱されて管内を流れる水を加熱する給湯熱交換器が設置された給湯管と、前記給湯管に設置され、所定以上の水が流れたときにオンになる流水スイッチと、湯張りスイッチのオンまたは前記流水スイッチのオンにより通電され、前記給湯管内に所定以上の水が流れたときに当該給湯管内の流水量を検出するとともに前記給湯バーナを点火させるフローセンサとを有することを特徴とする。
【０００９】
また、本発明に係る風呂釜は、給湯バーナにより加熱されて管内を流れる水を加熱する給湯熱交換器が設置された給湯管と、前記給湯管の下流側においてこの給湯管から分岐して延びる第１の分岐管および第２の分岐管と、前記第１の分岐管に設置され、湯張りスイッチがオンになったときに開位置とされてこの第１の分岐管の管路を所定時間にわたって開放して浴槽に湯張りを行う電磁弁と、前記第２の分岐管に設置され、手動操作によりこの第２の分岐管の管路を開放して出湯を行う出湯栓と、前記第２の分岐管に設置され、前記出湯栓により前記第２の分岐管の管路が開放されてこの第２の分岐管内に所定以上の水が流れたときにオンになる流水スイッチと、前記給湯管に設置され、前記湯張りスイッチのオンまたは前記流水スイッチのオンにより通電され、前記給湯管内に所定以上の水が流れたときに当該給湯管内の流水量を検出するとともに前記給湯バーナを点火させるフローセンサとを有することを特徴とする。
【００１０】
さらに、本発明に係る風呂釜は、前述した風呂釜において、電磁弁が開位置となっている場合において流水スイッチがオンになったときには、電磁弁はその時間だけ一時的に閉位置となることを特徴とする。
【００１１】
本発明に係る風呂釜は、前述した風呂釜において、フローセンサは電池により駆動されることを特徴とする。
【００１２】
本発明に係る風呂釜は、前述した風呂釜において、第２の分岐管にはこの第２の分岐管から分岐して延びる他の分岐管が取り付けられ、流水スイッチは第２の分岐管と他の分岐管との分岐位置よりも上流側における第２の分岐管に設置されていることを特徴とする。この風呂釜において、他の分岐管は、シャワーおよび台所配管の少なくとも何れか一つとすることができる。
【００１３】
本発明に係る風呂釜は、前述した風呂釜において、第１の分岐管および第２の分岐管の下流側には、これらの分岐管が合流して延びる出湯管が取り付けられていることを特徴とする。
【００１４】
本発明に係る風呂釜は、前述した風呂釜において、浴槽内の水が循環する風呂配管と、風呂バーナにより加熱されて風呂配管内を流れる水を加熱する風呂熱交換器とが併設されていることを特徴とする。
【００１５】
そして、本発明に係る風呂釜は、前述した風呂釜が、給湯バーナおよび風呂バーナの燃焼に必要な空気の取り入れと燃焼後の排気とが自然通風によるドラフタ現象を利用して行われるバランス型風呂釜であることを特徴とする。
【００１６】
このような発明によれば、湯張りスイッチまたは流水スイッチがオンになって水量を検出する必要が生じたときだけフローセンサを通電させることができる。これにより、消費電力が低減されて経済的な風呂釜を得ることが可能になる。
【００１７】
また、フローセンサを電池駆動とすれば、電池寿命が大幅に延びて電池の交換サイクルが長くなるので、快適な使用環境を得ることが可能になる。
【００１８】
【発明の実施の形態】
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００１９】
（実施の形態１）
図１は本発明の一実施の形態である風呂釜の構造を示す概略図、図２は図１の風呂釜に設置されたフローセンサを示す断面図、図３は図１の風呂釜に設置された流水スイッチを示す断面図、図４は図１の風呂釜の制御機構を示す回路図である。
【００２０】
図１に示すように、本実施の形態の風呂釜は、浴槽１に隣接して設置された本体部２から屋外に突出して設けられた単一の給排気トップ３により後述する給湯バーナ４および風呂バーナ５の燃焼に必要な空気の取り入れと燃焼後の排気とを自然通風によるドラフタ現象で行うバランス型風呂釜である。なお、本発明の風呂釜はこのようなバランス型風呂釜に限定されるのではなく、給湯器が屋外・屋内に設置された他の種々の風呂釜に適用することが可能である。
【００２１】
図１において、給湯管６には給湯バーナ４により加熱されてこの給湯管６内を流れる水を加熱する給湯熱交換器７が設置されている。また、給湯管６には、所定以上の水が流れたときにその流水量を検知するフローセンサ８が取り付けられている。そして、フローセンサ８が水の流れを検出すると給湯バーナ４が点火される。このフローセンサ８は、本体部２に設けられた湯張りスイッチ９のオンにより通電されるようになっている（図４参照）。なお、湯張りスイッチ９は本体部２とは別の箇所に設けられていてもよい。
【００２２】
バランス型風呂釜である本実施の形態の風呂釜において、フローセンサ８は電池駆動とされている。但し、フローセンサ８は必ずしも電池駆動である必要はなく、商業電源により駆動するようにしてもよい。
【００２３】
ここで、図２に示すように、フローセンサ８のボディ８ａの内部には、水が通過する貫通孔１０が形成されている。この貫通孔１０の長さ方向には一対の軸受け１１ａ，１１ｂが設けられ、タービン軸１２が回転自在に支持されている。このタービン軸１２には磁石が取り付けられており、またその外周面には、通過する水の流速に比例した回転速度で回転するタービン１３が取り付けらている。
【００２４】
ボディ８ａの外側面にはｎ形半導体またはｐ形半導体の薄板からなるホールＩＣ１４が設けられており、タービン軸１２の磁石の回転による磁束密度の変化が通電状態にあるホールＩＣ１４により検出されてパルス信号として出力されるようになっている。そして、所定量以上の水が流れると、その水の流速により磁石の回転が変化して水量に応じたパルス信号が出力されるので、出力パルスにより水量が検知される。
【００２５】
給湯管６の下流側には第１の分岐管１５および第２の分岐管１６が分岐して延びている。第１の分岐管１５には、この第１の分岐管１５の管路を開閉する電磁弁１７が設置されている。電磁弁１７は湯張りスイッチ９がオンになったときの所定時間にわたって開位置とされる。ここで、電磁弁１７により第１の分岐管１５が開放されると給湯管６から第１の分岐管１５に向かって水が流れるので、これが前記したフローセンサ８に検出されて給湯バーナ４が点火され、給湯熱交換器７により管内を流れる水が加熱される。したがって、湯張りスイッチ９により電磁弁１７が所定時間開位置とされることで、設定水量のお湯が浴槽１に湯張りされる。
【００２６】
第２の分岐管１６には、手動操作によりこの第２の分岐管１６の管路を開放して出湯を行う出湯栓１８が取り付けられている。そして、出湯栓１８の位置からは、第２の分岐管１６から分岐して延びるシャワー配管（他の分岐管）１９が接続されている。なお、出湯栓１８はシャワー配管１９の管路の開閉も併せて行うことができるようになっており、中央部で閉位置となる操作レバー１８ａを一方側に回すと第２の分岐管１６の管路が徐々に開放されて行き、また、他方側に回すとシャワー配管１９の管路が徐々に開放されてシャワーノズルから出湯が行われる。
【００２７】
第２の分岐管１６には、この第２の分岐管１６とシャワー配管１９との分岐位置よりも上流側において流水スイッチ２０が設置されている。図３に示すように、流水スイッチ２０の内部には水が通過する貫通孔２１が形成されている。この貫通孔２１には水の通過方向下流側の孔径が大きくなった段差部２２が形成されており、段差部２２の上面に当接してスイングプレート２３が回動自在に取り付けられている。スイングプレート２３には磁石２４が取り付けられており、また、流水スイッチ２０のボディ２０ａの外部には、スイングプレート２３が回動することにより接近してきた磁石２４により開閉されるリードスイッチ２５が取り付けられている。
【００２８】
このような流水スイッチ２０によれば、内部を水が流れると、スイングプレート２３はその取付支点を中心にして流路を開けるように水流により回動される。そして、スイングプレート２３の回動により接近した磁石２４によりリードスイッチ２５がオンになる。したがって、出湯栓１８を操作して第２の分岐管１６に水が流れると、この水の流れはスイングプレート２３の回動によるリードスイッチ２５のオンとして検出される。
【００２９】
前述のように、給湯バーナ４を点火させるフローセンサ８は湯張りスイッチ９のオンにより通電されるようになっているが、さらに、流水スイッチ２０がオンになったときにも通電されるようになっている（図４参照）。したがって、フローセンサ８が通電状態になるのは、湯張りスイッチ９がオンになって電磁弁１７により第１の分岐管１５の管路が開放されて湯張りが行われている場合、および出湯栓１８により第２の分岐管１６の管路が開放されて水が流れ、これにより流水スイッチ２０がオンになって給湯が行われている場合の２つの場合であり、他の場合、つまり配管内に水が流れていないときにはフローセンサ８には給電は行われない。これにより、水量を検出する必要が生じたときだけフローセンサ８を通電させることが可能になり、消費電力の低減が図られている。なお、本発明においては、電磁弁１７による湯張り機能を省略することもできるが、この場合には、第１の分岐管１５および第２の分岐管１６は必要なくなるので、流水スイッチ２０および出湯栓１８は給湯管６に設置される。
【００３０】
そして、フローセンサ８が電池駆動である本実施の形態の風呂釜では、このように消費電力が低減されることから、電池寿命が大幅に延びて電池の交換サイクルが長くなる。
【００３１】
なお、電磁弁１７が開位置となって自動湯張りが行われている場合にあって、出湯栓１８を操作して給湯を行った場合（つまり、流水スイッチ２０がオンになった場合）には、制御部により給湯時間中だけ一時的に電磁弁１７は閉位置とされる。そして、その間は湯張り量のカウントが停止される。これにより、給湯という割り込みが発生しても湯張り量が正確に計測されることになり、設定された水量のお湯が浴槽１に湯張りされる。なお、このような割り込み制御を行わないとすることもできる。
【００３２】
第１の分岐管１５および第２の分岐管１６の下流側には、これらの分岐管１５，１６が合流して延びる出湯管２６が取り付けられている。したがって、給湯管６から第１の分岐管１５を通ってきた水も第２の分岐管１６を通ってきた水も、いずれも出湯管２６から出湯される。
【００３３】
以上のような水の流通経路に対し、ガス配管は主ガス電磁弁２７が取り付けられた主配管２８と、この主配管２８から分岐した風呂ガス配管２９、パイロットガス配管３０および給湯ガス配管３１からなる。風呂ガス配管２９、パイロットガス配管３０および給湯ガス配管３１にはそれぞれ風呂ガス電磁弁３２、パイロットガス電磁弁３３および給湯ガス電磁弁３４，３４′が設置されており、風呂ガス配管２９と給湯ガス配管３１の末端部には風呂バーナ５および給湯バーナ４がそれぞれ取り付けられている。また、パイロットガス配管３０の末端部には、パイロットバーナ３５、火花放電によりこのパイロットバーナ３５を点火させるイグナイタ電極３６、点火されたパイロットバーナ３５の口火を検知するフレームロッド３７が配置されている。図示するように、給湯のガス能力を大小に切り替えることができるように、給湯ガス配管３１は２系統に分かれ、給湯ガス電磁弁３４，３４′はそれぞれの配管上に設置されている。
【００３４】
そして、風呂ガス電磁弁３２が開位置とされることで風呂バーナ５が点火され、このような風呂バーナ５により、浴槽１内の水が循環する風呂配管３８に取り付けられた風呂熱交換器３９が加熱されて追焚きが行われる。また、パイロットバーナ３５の口火を検知したフレームロッド３７により給湯ガス電磁弁３４が開位置とされることで給湯バーナ４が点火され、前述のように、この給湯バーナ４により給湯熱交換器７を加熱されて給湯管６の中を流れる水が加熱される。さらに、水量がフローセンサ８で検出されるので、団地等のように屋上に給水タンクがある場合など、器具への給水圧が低い場合やトイレ等の使用により一時的に器具への給水圧が下がった場合などには、給湯ガス配管３１に設置された給湯ガス電磁弁３４，３４′の何れか一方を閉位置として給湯のガス能力を大から小に切り替えれば、熱湯が器具から出ることが防止される。なお、風呂バーナ５、風呂配管３８および風呂熱交換器３９による追焚き機能は省略することができる。
【００３５】
ここで、図４に示すように、電磁弁１７（図１）を開閉する電磁弁駆動回路４０を駆動する湯張りスイッチ９と流水スイッチ２０とは電源（本実施の形態にあっては電池）４１に対して並列に接続されている。また、給湯ガス電磁弁３４を開閉する給湯ガス電磁弁駆動回路４２を駆動するフローセンサ８は、湯張りスイッチ９および流水スイッチ２０に対して直列に接続されている。さらに、風呂ガス電磁弁３２を開閉する風呂ガス電磁弁駆動回路４３を駆動する追焚きスイッチ４４は、これらに対して並列に接続されている。したがって、前述のように、湯張りスイッチ９または流水スイッチ２０がオンになるとフローセンサ８が通電され、給湯ガス電磁弁駆動回路４２によって給湯バーナ４が点火される。また、追焚きスイッチ４４がオンになると風呂ガス電磁弁駆動回路４３によって風呂バーナ５が点火され、追焚きが行われる。
【００３６】
このような本実施の形態の風呂釜によれば、湯張りスイッチ９をオンにすると電磁弁１７が開位置になって管路を水が流れ始める。また、湯張りスイッチ９により通電状態になったフローセンサ８により水量のカウントが開始されるとともに給湯バーナ４が点火され、給湯熱交換器７で管内の水が加熱される。そして、お湯となって給湯管６から第１の分岐管１５、出湯管２６を通って設定水量だけ浴槽１に湯張りされる。
【００３７】
また、出湯栓１８を操作して第２の分岐管１６を開放すると、同様に管路を水が流れ始める。すると、第２の分岐管１６に設置された流水スイッチ２０がオンになってフローセンサ８が通電され、給湯熱交換器７により管内の水が加熱される。そして、給湯管６から第２の分岐管１６、出湯管２６を通って所望量のお湯が出湯される。なお、湯張り中に第２の分岐管１６が開放された場合には、前述のような割り込み制御が行われる。
【００３８】
さらに、浴槽１に所定量のお湯（または水）がある場合では、追焚きスイッチ４４を押すことにより風呂バーナ５が点火されて風呂熱交換器３９が加熱され、風呂配管３８内のお湯が温められて追焚きが行われる。
【００３９】
このように、本実施の形態の風呂釜によれば、湯張りスイッチ９のオンまたは流水スイッチ２０のオンによりフローセンサ８を通電するようにしているので、水量を検出する必要が生じたときだけフローセンサ８を通電させることが可能になる。
【００４０】
さらに、フローセンサ８を電池駆動としているので、フローセンサ８を常時通電状態としておく必要がなくなって消費電力が低減され、電池寿命を大幅に延ばすことが可能になる。
【００４１】
（実施の形態２）
図５は本発明の他の実施の形態である風呂釜の流水部分の構造を示す概略図である。
【００４２】
本実施の形態に示す場合には、第１の分岐管１５および第２の分岐管１６の下流側が集合しておらず、第１の分岐管１５から湯張りのお湯が、第２の分岐管１６から出湯栓１８の手動操作によるお湯が、それぞれ出湯されるようになっている。その他の部分は、前述した実施の形態１に説明した風呂釜と同様に構成されている。
【００４３】
このように、第１および第２の分岐管１５，１６を下流側において合流させることなく、各分岐管１５，１６からそのまま出湯するようにしてもよい。
【００４４】
（実施の形態３）
図６は本発明のさらに他の実施の形態である風呂釜の流水部分の構造を示す概略図、図７は図６の変形例である風呂釜の流水部分の構造を示す概略図である。
【００４５】
図６に示すように、本実施の形態では、第２の分岐管１６から、シャワー配管１９に加えて、さらに台所への給湯を行う台所配管（他の分岐管）４５が分岐して延びている。その他の部分は、前述した実施の形態１に説明した風呂釜と同様に構成されている。
【００４６】
このように、第２の分岐管１６からは、台所配管４５など、種々の他の分岐管を分岐して延ばすことが可能である。
【００４７】
なお、本実施の形態において、台所配管４５にはこの台所配管４５の管路を独立して開閉する出湯栓４６が取り付けられている。したがって、台所配管４５は出湯栓１８の取付位置よりも上流側において第２の分岐管１６から分岐した構造となっている。そして、このような配管構造において、流水スイッチ２０は第２の分岐管１６と台所配管４５との分岐位置よりも上流側における第２の分岐管１６に設置される。
【００４８】
本実施の形態に示すように、シャワー配管１９と台所配管４５という複数の分岐管が異なる分岐位置で第２の分岐管１６から延びている場合には、流水スイッチ２０は最も上流側の分岐位置よりさらに上流側に設置される。
【００４９】
ここで、図７に示すように、本実施の形態においても、第１および第２の分岐管１５，１６を下流側において合流させることなく、そのまま出湯するようにしてもよい。
【００５０】
（実施の形態４）
図８は本発明のさらに他の実施の形態である風呂釜の流水部分の構造を示す概略図、図９は図８の変形例である風呂釜の流水部分の構造を示す概略図である。
【００５１】
図８に示すように、本実施の形態では、第２の分岐管１６からは台所への給湯を行う台所配管４５のみが分岐して延びている。その他の部分は、前述した実施の形態１に説明した風呂釜と同様に構成されている。
【００５２】
このように、第２の分岐管１６からは台所配管４５のみを延ばすようにしてもよい。ここで、本実施の形態では、第２の分岐管１６と他の分岐管との管路を選択的に開放する必要がないので、出湯栓１８は第２の分岐管１６の管路を独立して開閉するものとされている。
【００５３】
なお、本実施の形態において、流水スイッチ２０は第２の分岐管１６と台所配管４５との分岐位置よりも上流側における第２の分岐管１６に設置されている。
【００５４】
また、図９に示すように、本実施の形態においても、第１および第２の分岐管１５，１６を下流側において合流させることなく、そのまま出湯するようにしてもよい。
【００５５】
（実施の形態５）
図１０は本発明のさらに他の実施の形態である風呂釜の流水部分の構造を示す概略図、図１１は図１０の変形例である風呂釜の流水部分の構造を示す概略図である。
【００５６】
図１０に示すように、本実施の形態では、第２の分岐管１６から延びる他の分岐管は設置されていない。その他の部分は、前述した実施の形態１に説明した風呂釜と同様に構成されている。
【００５７】
このように、第２の分岐管１６にはこれからさらに延びる分岐管を設けなくてもよい。そして、この場合においても、第２の分岐管１６の出湯栓１８は第２の分岐管１６の管路を独立して開閉するものとされている。
【００５８】
ここで、本実施の形態では、第２の分岐管１６から延びる他の分岐管が設置されていないので、必然的に第２の分岐管１６には分岐部分は存在しない。このように分岐部分が存在しない場合には、流水スイッチ２０は第２の分岐管１６のどの位置にでも設置することができる。したがって、本実施の形態では、流水スイッチ２０は出湯栓１８の上流側に設置されているが、第２の分岐管１６であれば、出湯栓１８の下流側に設置することもできる。
【００５９】
また、図９に示すように、本実施の形態においても、第１および第２の分岐管１５，１６を下流側において合流させることなく、そのまま出湯するようにしてもよい。
【００６０】
前述した実施の形態１〜５では、給湯管６、第１および第２の分岐管１５，１６、シャワー配管１９、台所配管４５が適宜相互に接続されているが、必要に応じて相互に一体に形成してもよい。
【００６１】
【発明の効果】
以上の説明から明らかなように、本発明によれば以下の効果を奏することができる。
【００６２】
すなわち、本発明によれば、湯張りスイッチのオンまたは流水スイッチのオンによりフローセンサを通電するようにしているので、水量を検出する必要が生じたときだけフローセンサを通電させることが可能になるという効果を奏することができる。
【００６３】
これにより、消費電力が低減されて経済的な風呂釜を得ることが可能になるという効果を奏することができる。
【００６４】
また、フローセンサを電池駆動とすれば、電池寿命が大幅に延びて電池の交換サイクルが長くなるという効果を奏することができる。
【００６５】
これにより、快適な使用環境を得ることが可能になるという効果を奏することができる。
【図面の簡単な説明】
【図１】本発明の実施の形態１による風呂釜の構造を示す概略図である。
【図２】図１の風呂釜に設置されたフローセンサを示す断面図である。
【図３】図１の風呂釜に設置された流水スイッチを示す断面図である。
【図４】図１の風呂釜の制御機構を示す回路図である。
【図５】本発明の実施の形態２による風呂釜の流水部分の構造を示す概略図である。
【図６】本発明の実施の形態３による風呂釜の流水部分の構造を示す概略図である。
【図７】図６の変形例である風呂釜の流水部分の構造を示す概略図である。
【図８】本発明の実施の形態４による風呂釜の流水部分の構造を示す概略図である。
【図９】図８の変形例である風呂釜の流水部分の構造を示す概略図である。
【図１０】本発明の実施の形態５による風呂釜の流水部分の構造を示す概略図である。
【図１１】図１０の変形例である風呂釜の流水部分の構造を示す概略図である。
【符号の説明】
１      浴槽
２      本体部
３      給排気トップ
４      給湯バーナ
５      風呂バーナ
６      給湯管
７      給湯熱交換器
８      フローセンサ
８ａ    ボディ
９      湯張りスイッチ
１０    貫通孔
１１ａ  軸受け
１１ｂ  軸受け
１２    タービン軸
１３    タービン
１４    ホールＩＣ
１５    第１の分岐管
１６    第２の分岐管
１７    電磁弁
１８    出湯栓
１８ａ  操作レバー
１９    シャワー配管（他の分岐管）
２０    流水スイッチ
２０ａ  ボディ
２１    貫通孔
２２    段差部
２３    スイングプレート
２４    磁石
２５    リードスイッチ
２６    出湯管
２７    主ガス電磁弁
２８    主配管
２９    風呂ガス配管
３０    パイロットガス配管
３１    給湯ガス配管
３２    風呂ガス電磁弁
３３    パイロットガス電磁弁
３４    給湯ガス電磁弁
３４′  給湯ガス電磁弁
３５    パイロットバーナ
３６    イグナイタ電極
３７    フレームロッド
３８    風呂配管
３９    風呂熱交換器
４０    電磁弁駆動回路
４１    電源
４２    給湯ガス電磁弁駆動回路
４３    風呂ガス電磁弁駆動回路
４４    追焚きスイッチ
４５    台所配管（他の分岐管）
４６    出湯栓
【図１】
0003812920.tif 000002
【図２】
0003812920.tif 000003
【図３】
0003812920.tif 000004
【図４】
0003812920.tif 000005
【図５】
0003812920.tif 000006
【図６】
0003812920.tif 000007
【図７】
0003812920.tif 000008
【図８】
0003812920.tif 000009
【図９】
0003812920.tif 000010
【図１０】
0003812920.tif 000011
【図１１】
0003812920.tif 000012